(57)【要約】【課題】  散歩の途中や家事の合間に、ペットや子供等を簡単に抱っこすることができる、ペットキャリーや抱っこ布となる前掛けの提供。【解決手段】  前掛の腰部から下方の前掛部の中央に紐を交差して配設する。前掛の腰部から下方の前掛部の上縁部に別布をつけ、該別布に保持用の紐を配設する。前掛の腰部から下方の前掛部又は別布に板状体を配設する。前掛の腰部から下方の前掛部又は別布に数個の穴を配設する。上記の前掛又は別布を折り返してポケットを形成する。普段はエプロンとして使用でき、簡単に装着・離脱できるだけでなく、このポケット部が肩、首等によって保持されており、前傾することがない。従って、子供あるいはペットを安全に収納することができる。【選択図】  図８
2008031612.tif 000002
【特許請求の範囲】
【請求項１】
前掛の腰部から下方の前掛部の中央に紐を交差して配設し、該紐を肩又は首に通すことによって、前掛を折り返すことができるようにしたことを特徴とする、折り返し可能な前掛。
【請求項２】
前掛の腰部から下方の前掛部の下端部に肩紐あるいはスリットを配設し、該肩紐あるいは該スリットを肩に通すことによって、前掛を折り返すことができるようにしたことを特徴とする、折り返し可能な前掛。
【請求項３】
前掛の腰部から下方の前掛部の両側端部を除く両側部に肩紐あるいはスリットを配設し、該肩紐あるいは該スリットを肩に通すことによって、前掛を折り返すことができるようにしたことを特徴とする、折り返し可能な前掛。
【請求項４】
前掛の腰部から下方の前掛部の下端部を除く下部に首紐、肩紐あるいはスリットを配設し、該首紐、該肩紐あるいは該スリットを首又は肩に通すことによって、前掛を折り返すことができるようにしたことを特徴とする、折り返し可能な前掛。
【請求項５】
前掛の腰部から下方の前掛部に別布をつけ、該別布に保持用の紐を配設し、該紐を肩又は首に通すことによって、該別布を折り返すことができるようにしたことを特徴とする、折り返し可能な前掛。
【請求項６】
前掛の腰部から下方の前掛部又は別布の略中央部に前掛部又は別布の下端部とほぼ平行に板状体を配設したことを特徴とする、請求項１、２、３、４又は５に記載の折り返し可能な前掛。
【請求項７】
前掛の腰部から下方の前掛部又は別布に数個の穴を配設し、前掛又は別布を折り返すことによって、子供又はペットの手足や尾を出して安定させることを特徴とする、請求項１、２、３、４又は５に記載の折り返し可能な前掛。
【請求項８】
前掛の胸当部にふた布をつけ、前掛の腰部から下方の前掛部又は別布を折り返した場合に、該ふた布でふたをすることができるようにしたことを特徴とする、請求項１、２、３、４又は５に記載の折り返し可能な前掛。
【発明の詳細な説明】
【技術分野】
【０００１】
本発明は、前掛下半部を折り返すことによりできるポケット部に、ペット・子供その他の物を入れることができる前掛に関するものである。
【背景技術】
【０００２】
近年ペットを飼う人が多いが、マンション等の共用部分では、散歩に連れて行く際、抱いて移動しなければいけない規約のある所が多い。散歩させていても、幼犬や老犬・猫などは抱いて移動しなければならないこともある。ペットを抱く事により、抜け毛が洋服に付く。
家事をしている時に、乳児が泣く場合がある。その時は抱っこをするようになることが多
いが、その場合も素手で抱くか、抱っこ紐を取り出すことになる。
【０００３】
この発明者らは、前掛の腰部から下方の前掛部の両側端部に肩紐あるいはスリットを配設し、該肩紐あるいは該スリットを肩に通すことによって、前掛を折り返すことができるようにしたことを特徴とする折り返し可能な前掛、及び前掛の腰部から下方の前掛部の下端部に首紐あるいはスリットを配設し、該首紐あるいは該スリットを首に通すことによって、前掛を折り返すことができるようにしたことを特徴とする折り返し可能な前掛を、特願２００５−２４５７６７として提案し、特許第３８１８５２３号として登録された。本発明は、特許登録第３８１８５２３号をさらに改良したものである。
【発明の開示】
【発明が解決しようとする課題】
【０００４】
ペットを抱えるのは重く、キャリーケースをわざわざ用意するのも邪魔になる。しかも、ペットを抱える時に抜け毛が洋服に付き、あとで取るのが大変である。家事の合間に子供を抱えるのは大きな力を必要とするが、その都度、抱っこ紐を取り出して抱っこすることは面倒である。前掛を折り返し、上半部と下半部を係止具で止めるだけでは、重い物を入れるには適していなかった。
【０００５】
特許登録第３８１８５２３号に記載の前掛では、折り返した前掛の裏に紐を配設し、それを肩や首にかけることによって、収納物を落下させずに収納するものであったが、その紐の配設の方法を改良した。さらに、ペットや子供を収納した時に、手足や尾を安定させることとした。
【課題を解決するための手段】
【０００６】
本発明は、上述した課題を解決する折り返し可能な前掛を提供する。
請求項１の発明は、前掛の腰部から下方の前掛部の中央に紐を交差して配設し、該紐を肩又は首に通すことによって、前掛を折り返すことができるようにしたことを特徴とする、折り返し可能な前掛である。
肩紐及び首紐は、前掛部の中央に紐を交差して配置し、該紐の両端を前掛部に係止したものでもよく、前掛部の中央に交差して環状の紐を配置し、環状の紐の前掛部と当接している部分をミシン縫いすることによって前掛部に係止したものでもよい。
ここで「肩又は首に通す」とは、該紐を単に肩にかけることと、後ろから見て紐が交差するように該紐を肩から首にまわすことを含む。
【０００７】
請求項２の発明は、前掛の腰部から下方の前掛部の下端部に肩紐あるいはスリットを配設し、該肩紐あるいは該スリットを肩に通すことによって、前掛を折り返すことができるようにしたことを特徴とする、折り返し可能な前掛である。
ここで「肩に通す」とは、該紐又は該スリットを単に肩にかけることと、肩に斜めがけすることを含む。
【０００８】
請求項３の発明は、前掛の腰部から下方の前掛部の両側端部を除く両側部に肩紐あるいはスリットを配設し、該肩紐あるいは該スリットを肩に通すことによって、前掛を折り返すことができるようにしたことを特徴とする、折り返し可能な前掛である。
特許登録第３８１８５２３号では、前掛部の両側端部に肩紐あるいはスリットを配設しているが、前掛部が幅広の場合は前掛部の両側端部に肩紐あるいはスリットを配設するよりも、前掛部のやや中央部よりに肩紐あるいはスリットを配設することが好ましい。
肩紐は、前掛部の両側部に沿って紐を配置し、その紐の両端を前掛部に係止したものでもよく、前掛部の両側部に沿って環状の紐を配置し、環状の紐の前掛部と当接している部分をミシン縫いすることによって前掛部に係止したものでもよい。
【０００９】
請求項４の発明は、前掛の腰部から下方の前掛部の下端部を除く下部に首紐、肩紐あるいはスリットを配設し、該首紐、該肩紐あるいは該スリットを首又は肩に通すことによって、前掛を折り返すことができるようにしたことを特徴とする、折り返し可能な前掛である。
【００１０】
請求項５の発明は、前掛の腰部から下方の前掛部に別布をつけ、該別布に保持用の紐を配設し、該紐を肩又は首に通すことによって、該別布を折り返すことができるようにしたことを特徴とする、折り返し可能な前掛である。別布は、その上縁部を前掛部に係止することによって、前掛部に折り返し可能に取付られている。
【００１１】
請求項６の発明は、前掛の腰部から下方の前掛部又は別布の略中央部に前掛部又は別布の下端部とほぼ平行に板状体を配設したことを特徴とする、請求項１、２、３、４又は５に記載の折り返し可能な前掛である。
【００１２】
請求項７の発明は、前掛の腰部から下方の前掛部又は別布に数個の穴を配設し、前掛又は別布を折り返すことによって、子供又はペットの手足や尾を出して安定させることを特徴とする、請求項１、２、３、４又は５に記載の折り返し可能な前掛である。
【００１３】
請求項８の発明は、前掛の胸当部にふた布をつけ、前掛の腰部から下方の前掛部又は別布を折り返した場合に、該ふた布でふたをすることができるようにしたことを特徴とする、請求項１、２、３、４又は５に記載の折り返し可能な前掛である。
【００１４】
本発明における前掛は、胸当部と腰部から下方の前掛部とが連接された前掛、及び胸当部がなく前掛部のみからなる前掛の両者を包含する。
【００１５】
スリット周辺の強度を高めるために、スリットの周辺に補強用布を縫い付けることが好ましい。
【００１６】
前掛の腰部から下方の前掛部の下部に配設した首紐、肩紐あるいはスリットは、前掛として使用する場合に本体から離れないように、ファスナーやボタンなどの係止具を取り付けることが好ましい。
【発明の効果】
【００１７】
本発明の前掛は、普段は前掛として使用でき、簡単に装着・離脱できるだけでなく、前掛部を折り返してポケット部を形成することができ、さらにこのポケット部が肩紐あるいはスリットによって保持されており、前傾することがない。従って、子供あるいはペットを安全に収納することができる。
本発明の前掛では、紐又はスリットを両肩あるいは首に通すことにより重さを分散するため、重量のあるものでも安定して抱えることができる。
【実施例】
【００１８】
本発明を図示する実施例に基づいて説明する。
【００１９】
図１〜３は、請求項１の発明の実施例を示している。
【００２０】
図１に示す前掛１は、前掛の胸当部２と、前掛部３とからなり、前掛部３の中央に紐６が交差して配設され、ミシン縫７によって係止されている。首紐４及び腰紐５がそれぞれ胸当部２及び前掛部３に縫着されている。
前掛部３を折り返すと、紐６にたるみができ、そこに腕を入れ肩又は首に通すとポケット部が形成される。
【００２１】
図２に示す前掛８は、胸当部２がない他は、図１の前掛１と同様である。
【００２２】
図３に示す前掛１は、図１の前掛１の紐６を環状の紐９に代え、この紐９の前掛部３と当接している部分をミシン縫１０によって前掛部３に係止している。なお、胸当部２はなくてもよい。
【００２３】
図４〜５は、請求項２の発明の実施例を示している。
【００２４】
図４に示す前掛１は、前掛の胸当部２と、前掛部３とからなり、前掛部３の下端部に肩紐６が配設され、ミシン縫７によって係止されている。首紐４及び腰紐５がそれぞれ胸当部２及び前掛部３に縫着されている。前掛部３を折り返し、紐６を肩に通すとポケット部が形成される。なお、胸当部２はなくてもよい。
【００２５】
図５に示す前掛１は図４に示す肩紐６に代えて、前掛部３のスリット１１が設けられている。前掛部３を折り返してスリット１１を肩に通すことによりポケット部が形成される。なお、胸当部２は、なくてもよい。
【００２６】
図６は、請求項３の発明の実施例を示している。
図６に示す前掛１は、前掛の胸当部２と、前掛部３とからなり、前掛部３の両側端部を除く両側部に環状の紐９が配設され、環状の紐９と前掛部３とが当接している部分がミシン縫１０によって係止されている。首紐４及び腰紐５がそれぞれ胸当部２及び前掛部３に縫着されている。前掛部３を折り返し、紐９を肩に通すとポケット部が形成される。なお、胸当部２はなくてもよい。
【００２７】
図７は、請求項４の発明の実施例を示している。
図７に示す前掛１は、前掛の胸当部２と、前掛部３とからなり、前掛部３の下端部を除く下部に首紐又は肩紐６が配設され、ミシン縫７によって係止されている。首紐４及び腰紐５がそれぞれ胸当部２及び前掛部３に縫着されている。前掛部３を折り返し、紐６を首又は肩に通すとポケット部が形成される。なお、胸当部２はなくてもよい。
【００２８】
図８は、請求項５の発明の実施例を示している。
図８に示す前掛１は、前掛の胸当部２と、前掛部３と別布１５とからなり、別布１５はその上縁部がミシン縫１０されることによって前掛部に係止されている。また、別布１５には紐６又は環状の紐９が両側部、下部又は交差して配設されている。紐６又は紐９はミシン縫いによって別布に係止されている。肩又は首に通すとポケット部が形成される。なお、胸当部２はなくてもよい。
【００２９】
図９は、請求項６の発明の実施例を示している。
図９に示す前掛１は、前掛の胸当部２と、前掛部３とからなり、前掛部３の略中央部に下端部とほぼ平行に板状体１３を配設し、前掛を折り返すことによって、バッグの底のようになる。板状体１３は直接前掛部３に係止してもよく、前掛部に収納ポケットを別途設け、そのポケット内に挿入してもよい。
前掛部３に代えて別布１５に板状体１３を設けても良い。
なお、胸当部２は、なくてもよい。
【００３０】
図１０は、請求項７の発明の実施例を示している。
図１０に示す前掛１は、前掛の胸当部２と、前掛部３とからなり、前掛部３に数個の穴１４を配設し、前掛を折り返すことによって、子供又はペットの手足や尾を出して安定させる。なお、胸当部２は、なくてもよい。なお、図１０の前掛においても、紐又はスリットが配設されるが図示を省略する。前掛部３に代えて別布１５に穴１４を設けても良い。
【００３１】
図１１〜１２は、請求項８の発明の実施例を示している。
【００３２】
図１１に示す前掛１は、前掛の胸当部２と、前掛部３と別布１６とからなり、ふた布１６はミシン縫１０によって胸当部２に係止されている。前掛部３を折り返した場合に、ふた布１６でふたをすることができる。
ふた布１６は、折り返した前掛部３と、例えばファスナー、ホック等で係止しても良い。
前掛部３は別布１５であっても良い。
【００３３】
本発明の前掛１の使用例を説明する。
図１２に示す前掛１は、図１１の使用例を示したものである。前掛部３に配設された紐９を両肩にかけると折り返されてポケット部１２が形成される。ふた布１６によってポケット部１２の上部開口部がふたをされるように覆われる。
【００３４】
本発明の前掛１の使用例を図１３によって説明する。
図１３は肩紐９を交差して配設し、板状体１３を前掛部３に配設し、かつ前掛部３に穴１４を配設した前掛１を示す。
前掛部３を折り返し、交差した環状の紐９を肩又は首に通すことによってポケット部１２が形成される。子供やペットを抱き上げてポケット部１２に入れる。
【００３５】
板状体１３でポケット部１２に底が形成されるので、子供やペットを安定して収納することができる。また穴１４にペットの足を挿入させることによってペットをより安定した状態で運搬することができる。さらに前述したように、ポケット部１２は肩紐９で保持されているために、前傾することがなく、しかもミシン縫１０によって交差して係止されているため、子供やペットを安全に入れておくことができる。
【００３６】
図１４に示す前掛１は、図１３の図の後ろ姿である。紐９を単に肩にかけたものと、紐９を肩から首にまわして後ろも紐が交差したものである。
【図面の簡単な説明】
【００３７】
【図１】交差して紐を取り付け、該紐を肩や首に通してポケット部分を作る前掛の平面図である。
【図２】胸当てのない前掛の平面図である。
【図３】図１の前掛の紐部分を環状にしたものの平面図である。
【図４】前掛の下端部に肩紐が配設され、該紐を肩にかけてポケット部分を作る前掛の平面図である。
【図５】前掛の下端部にスリットが設けられ、そのスリットに肩を入れてポケット部分を作る前掛の平面図である。
【図６】前掛部の両側端部を除く両側部に環状の肩紐を取り付け、該紐を肩に通してポケット部分を作る前掛の平面図である。
【図７】前掛部の下端部を除く下部に首紐、肩紐が配設され、該紐を首又は肩に通してポケット部分を作る前掛の平面図である。
【図８】前掛部に別布を係止し、別布に紐が両側、下部又は交差して配設されている。該紐を肩又は首に通してポケット部を作る前掛の平面図である。
【図９】前掛部に板状体を配設した前掛の平面図である。
【図１０】前掛部に穴を配設した前掛の平面図である。
【図１１】胸当部にふたとなる別布を係止した前掛の平面図である。
【図１２】図１１の前掛をかけて折り返した図である。
【図１３】図３の前掛をかけて折り返し、ペットや子供を入れた図である。
【図１４】図１３の後ろ姿の図である。          紐を単に肩にかけた図と、紐を肩から首にまわして後ろ姿も紐が交差した図である。
【符号の説明】
【００３８】
１      前掛の本体
２      胸当部
３      腰部から下方の前掛部
４      胸当部に縫着されている首紐
５      前掛部に縫着されている腰紐
６      紐
７      ミシン縫などの係止手段
８      胸当部のない前掛の全体
９      環状の紐
１０    ミシン縫などの係止手段
１１    スリット
１２    ポケット部
１３    板状体
１４    穴
１５    前掛部に縫着されている別布
１６    胸当部に縫着されている別布
【図１】
2008031612.tif 000003
【図２】
2008031612.tif 000004
【図３】
2008031612.tif 000005
【図４】
2008031612.tif 000006
【図５】
2008031612.tif 000007
【図６】
2008031612.tif 000008
【図７】
2008031612.tif 000009
【図８】
2008031612.tif 000010
【図９】
2008031612.tif 000011
【図１０】
2008031612.tif 000012
【図１１】
2008031612.tif 000013
【図１２】
2008031612.tif 000014
【図１３】
2008031612.tif 000015
【図１４】
2008031612.tif 000016
【手続補正書】
【提出日】平成18年10月12日(2006.10.12)
【手続補正１】
【補正対象書類名】図面
【補正対象項目名】図７
【補正方法】変更
【補正の内容】
【図７】
2008031612.tif 000017
【手続補正書】
【提出日】平成19年4月11日(2007.4.11)
【手続補正１】
【補正対象書類名】特許請求の範囲
【補正対象項目名】全文
【補正方法】変更
【補正の内容】
【特許請求の範囲】
【請求項１】
前掛の腰部から下方の前掛部の中央に紐を交差して配設し、該紐を肩又は首に通すことによって、前掛を折り返すことが出来るようにしたことを特徴とする、折り返し可能な前掛。
【請求項２】
前掛の腰部から下方の前掛部の上縁部に別布をつけ、該別布に紐又は環状の紐が両側部、下部又は交差して保持用の紐を配設し、該紐を肩又は首に通すことによって、該別布を折り返すことができるようにしたことを特徴とする、折り返し可能な前掛。
【請求項３】
前掛の腰部から下方の前掛部又は別布の略中央部に前掛部又は別布の下端部とほぼ平行に板状体を配設したことを特徴とする、請求項１又は２に記載の折り返し可能な前掛。
【請求項４】
前掛の腰部から下方の前掛部又は別布に数個の穴を配設し、前掛又は別布を折り返すことによって、子供又はペットの手足や尾を出して安定させることを特徴とする、請求項１又は２に記載の折り返し可能な前掛。
【請求項５】
前掛の胸当部にふた布をつけ、前掛の腰部から下方の前掛部又は別布を折り返した場合に、該ふた布でふたをすることができるようにしたことを特徴とする、請求項１又は２に記載の折り返し可能な前掛。
【手続補正２】
【補正対象書類名】明細書
【補正対象項目名】全文
【補正方法】変更
【補正の内容】
【発明の詳細な説明】
【技術分野】
【０００１】
本発明は、前掛下半部を折り返すことによりできるポケット部に、ペット・子供その他の物を入れることができる前掛に関するものである。
【背景技術】
【０００２】
近年ペットを飼う人が多いが、マンション等の共用部分では、散歩に連れて行く際、抱いて移動しなければいけない規約のある所が多い。散歩させていても、幼犬や老犬・猫などは抱いて移動しなければならないこともある。ペットを抱く事により、抜け毛が洋服に付く。
家事をしている時に、乳児が泣く場合がある。その時は抱っこをするようになることが多いが、その場合も素手で抱くか、抱っこ紐を取り出すことになる。
【０００３】
この発明者らは、前掛の腰部から下方の前掛部の両側端部に肩紐あるいはスリットを配設し、該肩紐あるいは該スリットを肩に通すことによって、前掛を折り返すことができるようにしたことを特徴とする折り返し可能な前掛、及び前掛の腰部から下方の前掛部の下端部に首紐あるいはスリットを配設し、該首紐あるいは該スリットを首に通すことによって、前掛を折り返すことができるようにしたことを特徴とする折り返し可能な前掛を、特願２００５−２４５７６７として提案し、特許第３８１８５２３号として登録された。本発明は、特許登録第３８１８５２３号をさらに改良したものである。
【発明の開示】
【発明が解決しようとする課題】
【０００４】
ペットを抱えるのは重く、キャリーケースをわざわざ用意するのも邪魔になる。しかも、ペットを抱える時に抜け毛が洋服に付き、あとで取るのが大変である。家事の合間に子供を抱えるのは大きな力を必要とするが、その都度、抱っこ紐を取り出して抱っこすることは面倒である。前掛を折り返し、上半部と下半部を係止具で止めるだけでは、重い物を入れるには適していなかった。
【０００５】
特許登録第３８１８５２３号に記載の前掛では、折り返した前掛の裏に紐を配設し、それを肩や首にかけることによって、収納物を落下させずに収納するものであったが、その紐の配設の方法を改良した。さらに、ペットや子供を収納した時に、手足や尾を安定させることとした。
【課題を解決するための手段】
【０００６】
本発明は、上述した課題を解決する折り返し可能な前掛を提供する。
請求項１の発明は、前掛の腰部から下方の前掛部の中央に紐を交差して配設し、該紐を肩又は首に通すことによって、前掛を折り返すことができるようにしたことを特徴とする、折り返し可能な前掛である。肩紐及び首紐は、前掛部の中央に紐を交差して配置し、該紐の両端を前掛部に係止したものでもよく、前掛部の中央に交差して環状の紐を配置し、環状の紐の前掛部と当接している部分をミシン縫いすることによって前掛部に係止したものでもよい。
ここで「肩又は首に通す」とは、該紐を単に肩にかけることと、後ろから見て紐が交差するように該紐を肩から首にまわすことを含む。
【０００７】
請求項２の発明は、前掛の腰部から下方の前掛部の上縁部に別布をつけ、該別布に紐又は環状の紐が両側部、下部又は交差して保持用の紐を配設し、該紐を肩又は首に通すことによって、該別布を折り返すことができるようにしたことを特徴とする、折り返し可能な前掛である。別布は、その上縁部を前掛部に係止することによって、前掛部に折り返し可能に取り付けられている。
【０００８】
請求項３の発明は、前掛の腰部から下方の前掛部又は別布の略中央部に前掛部又は別布の下端部とほぼ平行に板状体を配設したことを特徴とする、請求項１又２に記載の折り返し可能な前掛である。
【０００９】
請求項４の発明は、前掛の腰部から下方の前掛部又は別布に数個の穴を配設し、前掛又は別布を折り返すことによって、子供又はペットの手足や尾を出して安定させることを特徴とする、請求項１又は２に記載の折り返し可能な前掛である。
【００１０】
請求項５の発明は、前掛の胸当部にふた布をつけ、前掛の腰部から下方の前掛部又は別布を折り返した場合に、該ふた布でふたをすることができるようにしたことを特徴とする、請求項１又は２に記載の折り返し可能な前掛である。
【００１１】
本発明における前掛は、胸当部と腰部から下方の前掛部とが連接された前掛、及び胸当部がなく前掛部のみからなる前掛の両者を包含する。
【００１２】
スリット周辺の強度を高めるために、スリットの周辺に補強用布を縫い付けることが好ましい。
【００１３】
前掛の腰部から下方の前掛部の下部に配設した首紐、肩紐あるいはスリットは、前掛として使用する場合に本体から離れないように、ファスナーやボタンなどの係止具を取り付けることが好ましい。
【発明の効果】
【００１４】
本発明の前掛は、普段は前掛として使用でき、簡単に装着・離脱できるだけでなく、前掛部を折り返してポケット部を形成することができ、さらにこのポケット部が肩紐あるいはスリットによって保持されており、前傾することがない。従って、子供あるいはペットを安全に収納することができる。
本発明の前掛では、紐又はスリットを両肩あるいは首に通すことにより重さを分散するため、重量のあるものでも安定して抱えることができる。
【実施例】
【００１５】
本発明を図示する実施例に基づいて説明する。
【００１６】
図１〜３は、請求項１の発明の実施例を示している。
【００１７】
図１に示す前掛１は、前掛の胸当部２と、前掛部３とからなり、前掛部３の中央に紐６が交差して配設され、ミシン縫７によって係止されている。首紐４及び腰紐５がそれぞれ胸当部２及び前掛部３に縫着されている。
前掛部３を折り返すと、紐６にたるみができ、そこに腕を入れ肩又は首に通すとポケット部が形成される。
【００１８】
図２に示す前掛８は、胸当部２がない他は、図１の前掛１と同様である。
【００１９】
図３に示す前掛１は、図１の前掛１の紐６を環状の紐９に代え、この紐９の前掛部３と当接している部分をミシン縫１０によって前掛部３に係止している。なお、胸当部２はなくてもよい。
【００２０】
図４は、請求項２の発明の実施例を示している。
図４に示す前掛１は、前掛の胸当部２と、前掛部３と別布１５とからなり、別布１５はその上縁部がミシン縫１０されることによって前掛部に係止されている。また、別布１５には紐６又は環状の紐９が両側部、下部又は交差して配設されている。紐６又は紐９はミシン縫いによって別布に係止されている。肩又は首に通すとポケット部が形成される。なお、胸当部２はなくてもよい。
【００２１】
図５は、請求項３の発明の実施例を示している。
図５に示す前掛１は、前掛の胸当部２と、前掛部３とからなり、前掛部３の略中央部に下端部とほぼ平行に板状体１３を配設し、前掛を折り返すことによって、バッグの底のようになる。板状体１３は直接前掛部３に係止してもよく、前掛部に収納ポケットを別途設け、そのポケット内に挿入してもよい。
前掛部３に代えて別布１５に板状体１３を設けても良い。
なお、胸当部２は、なくてもよい。
【００２２】
図６は、請求項４の発明の実施例を示している。
図６に示す前掛１は、前掛の胸当部２と、前掛部３とからなり、前掛部３に数個の穴１４を配設し、前掛を折り返すことによって、子供又はペットの手足や尾を出して安定させる。なお、胸当部２は、なくてもよい。なお、図６の前掛においても、紐又はスリットが配設されるが図示を省略する。前掛部３に代えて別布１５に穴１４を設けても良い。
【００２３】
図７は、請求項５の発明の実施例を示している。
【００２４】
図７に示す前掛１は、前掛の胸当部２と、前掛部３とふた布１６とからなり、ふた布１６はミシン縫１０によって胸当部２に係止されている。前掛部３を折り返した場合に、ふた布１６でふたをすることができる。
ふた布１６は、折り返した前掛部３と、例えばファスナー、ホック等で係止しても良い。
前掛部３は別布１５であっても良い。
【００２５】
本発明の前掛１の使用例を図８によって説明する。
図８は肩紐９を交差して配設し、板状体１３を前掛部３に配設し、かつ前掛部３に穴１４を配設した前掛１を示す。
前掛部３を折り返し、交差した環状の紐９を肩又は首に通すことによってポケット部１２が形成される。子供やペットを抱き上げてポケット部１２に入れる。
【００２６】
板状体１３でポケット部１２に底が形成されるので、子供やペットを安定して収納するとができる。また穴１４にペットの足を挿入させることによってペットをより安定した状態で運搬することができる。さらに前述したように、ポケット部１２は肩紐９で保持されているために、前傾することがなく、しかもミシン縫１０によって交差して係止されているため、子供やペットを安全に入れておくことができる。
【００２７】
図９に示す前掛１は、図８の図の後ろ姿である。紐９を単に肩にかけたものと、紐９を肩から首にまわして後ろも紐が交差したものである。
【図面の簡単な説明】
【００２８】
2008031612.tif 000018
【図１】交差して紐を取り付け、該紐を肩や首に通してポケット部分を作る前掛の平面          図である。
【図２】胸当てのない前掛の平面図である。
【図３】図１の前掛の紐部分を環状にしたものの平面図である。
【図４】前掛部に別布を係止し、別布に紐が両側、下部又は交差して配設されてい          る。該紐を肩又は首に通してポケット部を作る前掛の平面図である。
【図５】前掛部に板状体を配設した前掛の平面図である。
【図６】前掛部に穴を配設した前掛の平面図である。
【図７】胸当部にふたとなる別布を係止した前掛の平面図である。
【図８】図３の前掛をかけて折り返し、ペットや子供を入れた図である。
【図９】図８の後ろ姿の図である。紐を単に肩にかけた図と、紐を肩から首にまわして後ろ姿も紐が交差した図である。
【符号の説明】
【００２９】
１      前掛の本体
２      胸当部
３      腰部から下方の前掛部
４      胸当部に縫着されている首紐
５      前掛部に縫着されている腰紐
６      紐
７      ミシン縫などの係止手段
８      胸当部のない前掛の全体
９      環状の紐
１０    ミシン縫などの係止手段
１１    スリット
１２    ポケット部
１３    板状体
１４    穴
１５    前掛部に縫着されている別布
１６    胸当部に縫着されているふた布
【手続補正３】
【補正対象書類名】図面
【補正対象項目名】全図
【補正方法】変更
【補正の内容】
【図１】
2008031612.tif 000019
【図２】
2008031612.tif 000020
【図３】
2008031612.tif 000021
【図４】
2008031612.tif 000022
【図５】
2008031612.tif 000023
【図６】
2008031612.tif 000024
【図７】
2008031612.tif 000025
【図８】
2008031612.tif 000026
【図９】
2008031612.tif 000027